(57)【特許請求の範囲】
【請求項１】
対向する２枚の側板の間に上下方向に配された複数の円弧状の固定走行部材と、これらの固定走行部材に対向して配されると共に、前後方向に回動可能に軸支された複数の可動走行部材とにより商品通路が形成されたサイペンタイン構造の商品通路を備えた自動販売機の商品収納装置において、
前記可動走行部材の上端の両側に前記側板に挿通される軸部を形成する一方、商品通路の外方から前記軸部に一端を係止した状態で巻装され、他端を前記側板に係止させたコイルバネにより該可動走行部材が前記固定走行部材に向かう方向に付勢されていることを特徴とする自動販売機の商品収納装置。
【発明の詳細な説明】
【０００１】
【産業上の利用分野】
本発明は、サーペンタイン構造の商品通路を備えた自動販売機の商品収納装置に関する。
【０００２】
【従来の技術】
従来の自動販売機の商品収納装置としては、特開平２−４０７９１号公報等に示されるもののように、対向する２枚の側板の間に上下方向に配された複数の円弧状の固定走行部材と、これらの固定走行部材に対向して配されると共に、前後方向に回動可能に軸支された複数の可動走行部材とにより形成されたサーペンタイン構造の商品通路を備えたものがある。
【０００３】
ここで、これらの商品通路の可動走行部材は、図５に示すように可動走行部材１の上端に形成したカール部２に挿通された支持軸３を介して対向する２枚の側板４に回動自在に保持されると共に、カール部２の中央部に形成された切り欠き部２ａに配され、支持軸３に巻装されたコイルバネ５の一端５ａを背面に当てている。
【０００４】
なお、このコイルバネ５の他端５ｂは、図６に示すように商品通路Ｒの外方に設けられているストッパ軸６に係止されるようになっている。そして、通常、これらの可動走行部材１は、このコイルバネ５により付勢され、同図に示すようにその下端を固定走行部材７に当てた状態となっている。
【０００５】
ここで、この商品通路Ｒ内に図示しない商品が投入されると、これらの可動走行部材１は順次この商品に衝突し、矢印に示すように下方に回動するようになっている。なお、このように投入商品を可動走行部材１に順次衝突させることにより、商品の落下速度及び落下姿勢を制御し、商品を損傷することなく適切に収納することができるようなっている。
【０００６】
【発明が解決しようとする課題】
ところで、近年、自動販売機の道路へのはみだしが社会的な問題となっていることから自動販売機の薄型化が求められており、これに答えるためサーペンタイン構造の商品通路を備えた自動販売機においては、例えば商品収納装置内の商品通路同士を密接させることにより商品収納装置を薄くすることが考えられる。
【０００７】
ところが、従来の自動販売機の商品収納装置においては、既述した図６に示すようにストッパ軸６を商品通路Ｒの外方に設けているため、このストッパ軸６が邪魔となって商品通路Ｒ同士を密着させることができず、商品収納装置を薄型にできないという問題点があった。
【０００８】
また、可動走行部材を側板に取り付ける際には、まずコイルバネを巻装しながら支持軸をカール部に挿通した後、この支持軸を側板に固定し、次にコイルバネの一端を可動走行部材に背面に当てると共に他端をストッパ軸に係止させなければならず組立に手間がかかるという問題点があった。
【０００９】
さらに、ストッパ軸が必要となるため部品点数が増え、このためコストが高くなるという問題点があった。
【００１０】
本発明は、簡単に組み立てることができると共に、コストの安い薄型の自動販売機の商品収納装置を提供することを目的とするものである。
【００１１】
【課題を解決するための手段】
本発明は、対向する２枚の側板の間に上下方向に配された複数の円弧状の固定走行部材と、これらの固定走行部材に対向して配されると共に、前後方向に回動可能に軸支された複数の可動走行部材とにより商品通路が形成されたサイペンタイン構造の商品通路を備えた自動販売機の商品収納装置において、前記可動走行部材の上端の両側に前記側板に挿通される軸部を形成する一方、商品通路の外方から前記軸部に一端を係止した状態で巻装され、他端を前記側板に係止させたコイルバネにより該可動走行部材が前記固定走行部材に向かう方向に付勢されているものである。
【００１２】
【作用】
この構成により、対向する２枚の側板の間に上下方向に配された複数の円弧状の固定走行部材に対抗して配される複数の可動走行部材を、その上端の両側に形成された軸部を側板に挿通することにより、側板に回動自在に取り付けることができる。そして、この軸部に一端を係止した状態で巻装され、他端を側板に係止させたコイルバネにより、これらの可動走行部材を固定走行部材に向かう方向に付勢することができる。
【００１３】
【実施例】
以下、本発明の一実施例を図面を参照して説明する。
【００１４】
図１は、本発明の一実施例に係る自動販売機の商品収納装置の側面断面図である。なお、同図において、図５，６と同一符号は、同一又は相当部分を示している。
【００１５】
同図において、８はサーペンタイン構造の商品通路Ｒを前後方向に密着して形成している商品収納棚装置、９はこの商品収納棚装置１の前面に設けられた商品投入口、１０はこの商品投入口９と商品通路Ｒの入り口との間に配された前後方向に移動可能な案内板である。なお、同図においては、商品収納棚装置１の最後列の商品通路Ｒのみを図示している。
【００１６】
また、１１は商品通路Ｒの下端部に配設され、収納されている商品を順次１個づつ搬出するための商品搬出装置を内部に収納した固定壁部、１２は固定壁部１１に対向して配されると共に前後方向に移動可能に支持され、固定壁部１１と共に形成する商品搬出口１３の幅規制を行なう出口規制板である。
【００１７】
ところで、１４は可動走行部材であり、この可動走行部材１４は、図２に示すように上端の両側に、側板４に挿通される軸部１５を上端をカールして形成したものである。
【００１８】
そして、この可動走行部材１４は、商品通路Ｒの外方から一端１６ａを一方の軸部１５に係止した状態で巻装され、他端１６ｂを、例えば側板４に形成された係止孔４ａに係止させたコイルバネ１６により固定走行部材７に向かう方向に付勢されているものである。
【００１９】
なお、この軸部１５の先端部には、例えば図３に示すように切欠き１５ａが形成されており、このコイルバネ１６は、図４に示すようにその一端１６ａを、この切欠き１５ａにコイルバネ１６自身の復元力によって係止した状態で軸部１５巻装されるようになっている。
【００２０】
そして、このような可動走行部材１４を側板４に取り付けるためには、まず可動走行部材１４の上端の両側に形成された軸部１５を側板４に挿通する。
【００２１】
次に、この一方の軸部１５にコイルバネ１６を巻装した後、このコイルバネ１６の一端１６ａを軸部１５の先端部の切欠き１５ａにコイルバネ１６自身の復元力により係止する。この後、コイルバネ１６の他端１６ｂを、同図に示す矢印の方向にコイルバネ１６のバネ力に抗しながら回動させて側板４の係止孔４ａに係止させる。
【００２２】
これにより、通常、商品が収納されるまでは、これらの可動走行部材１４は、コイルバネ１６により付勢されて、図１に示すように軸部１５を支点として固定走行部材７に下端を当てた状態となる。
【００２３】
そして、この状態で商品が商品投入口９から順次投入されると、投入された商品は可動走行部材１４に順次衝突しながら転動落下していく。この際、可動走行部材１４は商品によりコイルバネ１６のバネ力に抗して下方に回動し、これにより商品の落下速度が減少すると共に姿勢も制御される。なお、商品通過後は、可動走行部材１４はコイルバネ１６により、軸部１５を支点として上方に回動し、元の状態に戻る。
【００２４】
このように、複数の可動走行部材１４の上端の両側に形成され、側板４に挿通された軸部１５に商品通路Ｒの外方からコイルバネ１６を巻装するにより、これらの可動走行部材１５を固定走行部材７に向かう方向に付勢することができる。
【００２５】
【発明の効果】
以上のように本発明によれば、可動走行部材の上端の両側に形成された軸部を側板に挿通した後、商品通路の外方に突出した前記軸部にコイルバネを巻装するようにしたので組立が簡単にできる。また、コイルバネの一端を側板に係止するようにしたのでストッパ軸が不要となり、このため商品収納装置を薄型にできると共に部品点数を減らすことができるのでコストを安くすることができる。
【図面の簡単な説明】
【図１】本発明の一実施例に係る自動販売機の商品収納装置の側面断面図。
【図２】上記商品収納装置の要部斜視図。
【図３】上記商品収納装置の可動走行部材の軸部の拡大平面図。
【図４】上記可動走行部材の軸部の側面断面図。
【図５】従来の商品収納装置の要部斜視図。
【図６】従来の商品収納装置の要部側面断面図。
【符号の説明】
１，１４  可動走行部材
４  側板
５，１６  コイルバネ
７  固定走行部材
８  商品収納棚装置
１５  軸部
【図１】
0003582081.tif 000002
【図２】
0003582081.tif 000003
【図３】
0003582081.tif 000004
【図４】
0003582081.tif 000005
【図５】
0003582081.tif 000006
【図６】
0003582081.tif 000007